(57)【要約】【課題】非使用時にはコンパクトに折り畳めて収納性に優れ、かつ使用時には三方に手摺りが配設できて作業者の安全が確保しやすいエレベータ機器の点検作業台を提供する。【解決手段】点検対象となるエレベータ機器１に装備された点検作業台２１は、エレベータ機器１に回動可能に取着された踏み台４と、踏み台４の左右両側部に回動可能に取着された左手摺り８および右手摺り９と、踏み台４を水平姿勢に保持可能な支柱７とを備えており、左右の手摺り８，９には背面手摺り８ａ，９ａが回動可能に取着されている。点検作業台２１が収納状態のときには支柱７を介して踏み台４が鉛直姿勢に吊持されており、手摺りは全て踏み台４に折り畳まれている。また、点検作業台２１を足場として設置する際には、踏み台４上に左右の手摺り８，９を起立させて両手摺り８，９を背面手摺り８ａ，９ａにて連結する。【選択図】図４
2011251799.tif 000002
【特許請求の範囲】
【請求項１】
エレベータ機器に装備されて折り畳んだ状態で収納可能であると共に、所要の大きさに設置可能で前記エレベータ機器の保守点検作業に用いられる点検作業台において、
前記エレベータ機器に取着されて鉛直姿勢と水平姿勢との間で回動可能な踏み台と、前記エレベータ機器に取着されて前記踏み台を水平姿勢に保持可能な支柱と、前記踏み台の一側部に取着されて起立姿勢と折畳み姿勢との間で回動可能な右手摺りと、前記踏み台の他側部に取着されて起立姿勢と折畳み姿勢との間で回動可能であると共に前記右手摺りとは幅寸法が異なる左手摺りと、これら右手摺りと左手摺りの少なくとも一方に回動可能に取着されて前記エレベータ機器から遠い側で該両手摺りが連結可能な背面手摺りとを備え、設置時には前記踏み台を水平姿勢に保持して該踏み台に対し前記右手摺りおよび左手摺りを起立させておき、かつ、収納時には前記踏み台を鉛直姿勢に吊持して該踏み台に対し前記右手摺りおよび左手摺りを折り畳んでおくようにしたことを特徴とするエレベータ機器の点検作業台。
【請求項２】
請求項１の記載において、前記右手摺りと前記左手摺りがいずれも、前記踏み台の側部に取着されて起立姿勢と折畳み姿勢との間で回動可能な下段手摺りと、この下段手摺りに取着されて起立姿勢と折畳み姿勢との間で回動可能な上段手摺りとを有する二段構造になっていることを特徴とするエレベータ機器の点検作業台。
【請求項３】
請求項１または２の記載において、前記支柱の一端部が前記エレベータ機器に回動可能に取着されていると共に、この支柱の他端部と係脱可能な第１掛止部および第２掛止部が前記踏み台に設けられており、前記第１掛止部を前記支柱の他端部に掛止させることによって前記踏み台が水平姿勢に保持され、かつ前、記第２掛止部を前記支柱の他端部に掛止させることによって前記踏み台が鉛直姿勢に吊持されるようにしてあることを特徴とするエレベータ機器の点検作業台。
【請求項４】
請求項１〜３のいずれか１項の記載において、前記右手摺りおよび／または前記左手摺りと係合して該手摺りの前記踏み台に対する移動を阻止するためのストッパを備え、このストッパが該手摺りと係脱可能であることを特徴とするエレベータ機器の点検作業台。
【発明の詳細な説明】
【技術分野】
【０００１】
本発明は、昇降路内においてエレベータ機器の保守点検作業に用いられる点検作業台に係り、特に、点検対象となるエレベータ機器に装備されて非使用時に折り畳んだ状態で収納可能な点検作業台に関する。
【背景技術】
【０００２】
エレベータの昇降路内において最下階ピットの床面から高くて手が届かない位置に設置されているエレベータ機器には、その保守点検作業を効率良く行うために、予め付属品として点検作業台を装備しておくことがある。この種の点検作業台を使用してエレベータ機器の保守点検作業を行う際には、点検作業台を昇降路の内方へせり出した状態に設置しておく必要があるが、エレベータの乗りかごを運行させる際には、点検作業台を乗りかご等の他機器と接触しない場所に退避させておかねばならない。そこで、非使用時には折り畳んでおくことができて使用時には昇降路の内方へ設置できるように構成された点検作業台が、従来より採用されている（例えば、特許文献１参照）。すなわち、保守点検作業を行うときだけ点検作業台を所要の大きさに組み立てることとし、乗りかごが運行される通常時には点検作業台をコンパクトに折り畳んだ状態にしておけば、この点検作業台を乗りかご等の他機器と接触する虞のない場所に収納することが容易となる。
【０００３】
ところで、エレベータの昇降路の平面寸法は、乗りかごを運行させるスペースの周囲に主要なエレベータ機器が配設できる必要最小限の大きさに設定されることが多いため、エレベータ機器の付属品である点検作業台の収納場所も自ずと限定されてしまう。具体的には、エレベータ機器の鉛直方向真下（直下）のスペースを利用して、折畳み状態の点検作業台を収納することになる。その際、点検作業台の一部が、これを保持しているエレベータ機器よりも昇降路の内方へはみ出していると、乗りかご等の他機器と接触する危険性が高まるため、例えば昇降路を拡幅するなどの危険回避策が求められることになり、結果として点検作業台の商品価値が著しく低下してしまう。
【先行技術文献】
【特許文献】
【０００４】
【特許文献１】特開２００５−１８７０８７号公報
【発明の概要】
【発明が解決しようとする課題】
【０００５】
前述したように折り畳んで収納可能な点検作業台がエレベータ機器に装備されていると、保守点検作業を効率良く行うことができるが、コンパクトに折り畳めてスペースファクタが良好な従来の点検作業台は三方全てに手摺りが用意されているわけではないので、保守点検作業中の安全確保が十分に行えないという問題があった。例えば、特許文献１に開示されている従来技術の場合、点検作業台（点検台）の背面側に設ける手摺りについては配設方法や収納方法について考慮されているものの、左右両側の手摺りについては考慮されていない。すなわち、点検作業台に乗ってエレベータ機器の保守点検を行う作業者の安全を確保するためには、点検作業台の背面側だけでなく左右両側にも手摺りが設けられている必要があり、かかる背面側および左右両側の三方に手摺りを設けることが規格等の要請によって義務付けられることもある。したがって、エレベータ機器の付属品として点検作業台を設計する場合、使用時には三方に手摺りが配設でき、かつ非使用時にはこれら手摺りが邪魔にならないように収納できる構成になっていることが望まれる。
【０００６】
本発明は、このような従来技術の実情に鑑みてなされたものであり、その目的は、非使用時にはコンパクトに折り畳めて収納性に優れ、かつ使用時には三方に手摺りが配設できて作業者の安全が確保しやすい、エレベータ機器の点検作業台を提供することにある。
【課題を解決するための手段】
【０００７】
上記の目的を達成するために、本発明は、エレベータ機器に装備されて折り畳んだ状態で収納可能であると共に、所要の大きさに設置可能で前記エレベータ機器の保守点検作業に用いられる点検作業台において、前記エレベータ機器に取着されて鉛直姿勢と水平姿勢との間で回動可能な踏み台と、前記エレベータ機器に取着されて前記踏み台を水平姿勢に保持可能な支柱と、前記踏み台の一側部に取着されて起立姿勢と折畳み姿勢との間で回動可能な右手摺りと、前記踏み台の他側部に取着されて起立姿勢と折畳み姿勢との間で回動可能であると共に前記右手摺りとは幅寸法が異なる左手摺りと、これら右手摺りと左手摺りの少なくとも一方に回動可能に取着されて前記エレベータ機器から遠い側で該両手摺りが連結可能な背面手摺りとを備え、設置時には前記踏み台を水平姿勢に保持して該踏み台に対し前記右手摺りおよび左手摺りを起立させておき、かつ、収納時には前記踏み台を鉛直姿勢に吊持して該踏み台に対し前記右手摺りおよび左手摺りを折り畳んでおくようにした。
【０００８】
このように構成された点検作業台を保守点検作業時の足場として設置する際には、上向きに回転させた踏み台を支柱によって水平姿勢に保持すると共に、踏み台の両側部に右手摺りと左手摺りを起立させて該両手摺りを背面手摺りで連結する。こうして所要の大きさに設置された点検作業台は、踏み台に乗ってエレベータ機器と向き合う作業者の背面側および左右両側に手摺りが存するため、これら三方の手摺りによって保守点検作業時の安全を確保することができる。また、この点検作業台を収納する際には、三方の手摺りを踏み台に対して折り畳むと共に、支柱による水平保持を解除して踏み台の先端部を下向きに回転させれば、踏み台は自重で鉛直姿勢となるためエレベータ機器の直下に吊持することができる。その際、背面手摺りは右手摺りや左手摺りに折り畳むことができ、かつ、右手摺りと左手摺りは互いの幅寸法が異なり両者を干渉させずに折り畳むことができるため、点検作業台をコンパクトに折り畳んだ状態にして邪魔にならない場所に収納することができる。
【０００９】
上記の構成の点検作業台において、右手摺りと左手摺りがいずれも、踏み台の側部に取着されて起立姿勢と折畳み姿勢との間で回動可能な下段手摺りと、この下段手摺りに取着されて起立姿勢と折畳み姿勢との間で回動可能な上段手摺りとを有する二段構造になっていると、上段手摺りを下段手摺り上に起立させることによって右手摺りや左手摺りの高さ寸法を大幅に増大できるため、保守点検作業時の安全性をさらに高めることができる。しかも、収納時には、上段手摺りを折り畳んだ状態で下段手摺りを踏み台に対して折り畳むことができるため、右手摺りや左手摺りを二段構造にしても点検作業台の収納スペースが増大することはない。
【００１０】
また、上記の構成の点検作業台において、支柱の一端部がエレベータ機器に回動可能に取着されていると共に、支柱の他端部と係脱可能な第１掛止部および第２掛止部が踏み台に設けられており、第１掛止部を支柱の他端部に掛止させることによって踏み台が水平姿勢に保持され、かつ、第２掛止部を支柱の他端部に掛止させることによって踏み台を鉛直姿勢に吊持できるようにしてあると、踏み台の保持構造が簡素化できるため、点検作業台を設置する際や収納する際の作業性が向上させやすい。
【００１１】
また、上記の構成の点検作業台において、右手摺りおよび／または左手摺りと係合して該手摺りの踏み台に対する移動を阻止するためのストッパを備え、このストッパが該手摺りと係脱可能であると、同じストッパを用いて、起立姿勢の該手摺りの傾倒が防止できると共に折畳み姿勢の該手摺りの浮き上がりが防止できるようになる。すなわち、点検作業台が設置状態のときに、起立姿勢の右手摺りや左手摺りが水平姿勢の踏み台に対して不用意に傾かないようにストッパで拘持できれば、保守点検作業時の安全性をさらに高めることができる。また、点検作業台が収納状態のときに、折畳み姿勢の右手摺りや左手摺りが踏み台に対して不用意に浮き上がらないようにストッパで拘持できれば、点検作業台が乗りかご等の他機器と接触する危険性を確実に回避することができる。
【発明の効果】
【００１２】
本発明のエレベータ機器の点検作業台によれば、これを保守点検作業時の足場として設置する際に、踏み台を水平姿勢に保持して右手摺りおよび左手摺りを起立させることができると共に、これら左右両手摺りを背面手摺りで連結することができるため、踏み台に乗ってエレベータ機器と向き合う作業者にとって、左右両側および背面の三方に手摺りが配設されることになる。また、この点検作業台を収納する場合は、三方の手摺りを折り畳んだ踏み台を自重で鉛直姿勢となしてエレベータ機器で吊持することができる。その際、背面手摺りは右手摺りや左手摺りに折り畳むことができ、かつ、右手摺りと左手摺りは互いの幅寸法が異なり両者を干渉させずに折り畳むことができるため、点検作業台を邪魔にならない場所に収納することは容易である。すなわち、この点検作業台は、コンパクトに折り畳めて収納性に優れているのみならず、三方の手摺りによって保守点検作業時の安全が確保しやすいという顕著な効果を奏する。
【図面の簡単な説明】
【００１３】
【図１】本発明の第１実施形態例に係る点検作業台の設置状態をエレベータ機器と共に示す全体斜視図である。
【図２】図１の要部詳細図である。
【図３】第１実施形態例に係る点検作業台の収納状態をエレベータ機器と共に示す全体斜視図である。
【図４】図１の点検作業台を支柱を省略して示す斜視図である。
【図５】図４の点検作業台の背面手摺りを折り畳んだ状態を示す斜視図である。
【図６】図５の点検作業台の左手摺りを折り畳んだ状態を示す斜視図である。
【図７】図６の点検作業台の右手摺りを折り畳んだ状態を示す斜視図である。
【図８】図７のＡ−Ａ線に沿う断面図である。
【図９】本発明の第２実施形態例に係る点検作業台の設置状態を支柱を省略して示す斜視図である。
【図１０】図９の点検作業台の背面手摺りを折り畳んだ状態を示す斜視図である。
【図１１】図１０の点検作業台の上段手摺りを折り畳んだ状態を示す斜視図である。
【図１２】図１１の点検作業台の下段手摺りを折り畳んだ状態を示す斜視図である。
【図１３】図１２のＢ−Ｂ線に沿う断面図である。
【図１４】本発明の第３実施形態例に係る点検作業台に用いられるストッパの斜視図である。
【図１５】第３実施形態例に係る点検作業台の設置状態を支柱を省略して示す斜視図である。
【図１６】図１５の点検作業台の収納状態を示す斜視図である。
【発明を実施するための形態】
【００１４】
以下、本発明の実施形態例に係るエレベータ機器の点検作業台について説明する。まず、第１実施形態例に係る点検作業台について、図１〜図８を参照しつつ説明する。これらの図に示す点検作業台２１は、点検対象となるエレベータ機器１に装備されて、保守点検作業時に作業者の足場として使用されるものである。この点検作業台２１は、通常時（非使用時）は図３に示すように、大部分がエレベータ機器１の直下に折り畳んで収納されている。そして、点検作業台２１を足場として設置する際には、図１に示すようにエレベータ機器１と対向する側の空間に所要の大きさに組み立てる。
【００１５】
この点検作業台２１は、エレベータ機器１の下部に固定された２個の下部支持材２と、下部支持材２の丸孔に挿通されて水平方向に延在する支持棒３と、支持棒３を回転軸として回動可能な踏み台４と、エレベータ機器１の上部に固定された上部支持材５と、上部支持材５に取り付けられたボルト６と、ボルト６を回転軸として回動可能な支柱７と、踏み台４の左右両側部に回動可能に取り付けられた左手摺り８および右手摺り９とによって主に構成されており、左手摺り８と右手摺り９にはそれぞれ背面手摺り８ａ，９ａが回動可能に取り付けられている。
【００１６】
踏み台４は、保守点検作業時には水平に保持されて作業者が乗り込めるようになっている。この踏み台４には、回転中心（支持棒３）から遠い先端部の左右両側に引っ掛けボルト４１が固定されていると共に、回転中心に近い基端部の左右両側に引っ掛けボルト４２が固定されている。一方の引っ掛けボルト４１は第１掛止部であって、踏み台４を水平姿勢に保持する際に支柱７を引っ掛けるためのものである。他方の引っ掛けボルト４２は第２掛止部であって、踏み台４を鉛直姿勢に吊持する際に支柱７を引っ掛けるためのものである。
【００１７】
支柱７の回転中心（ボルト６）から遠い先端部には、引っ掛けボルト４１，４２と選択的に係合可能なだるま孔７１が開設されている。図２に示すように、だるま孔７１の大径部７１ａは引っ掛けボルト４１の頭部よりも大きく、だるま孔７１の小径部７１ｂは該頭部よりも小さく設定されている。そのため、点検作業台２１をエレベータ機器１と対向する側の空間に設置する際には、引っ掛けボルト４１の頭部を大径部７１ａに挿入した後、踏み台４の自重で引っ掛けボルト４１の頭部を小径部７１ｂへスライド移動させる。こうすることにより、引っ掛けボルト４１が支柱７に掛止されるため、図１に示すように踏み台４を水平姿勢に保持することができる。
【００１８】
同様に、点検作業台２１を収納する際には、引っ掛けボルト４２の頭部を大径部７１ａに挿入した後、踏み台４の自重で引っ掛けボルト４２の頭部を小径部７１ｂへスライド移動させる。こうすることにより、引っ掛けボルト４２が支柱７に掛止されるため、図３に示すように踏み台４は自重で鉛直姿勢となってエレベータ機器１の直下に吊持される。
【００１９】
左手摺り８は、エレベータ機器１に向かって踏み台４の左側部に回動可能に取着されており、踏み台４に対して起立させたり折り畳んだりすることができる。図４〜図６に示すように、この左手摺り８は、略平行な２本の縦柱８ｂと、両縦柱８ｂの上端部どうしを橋絡している横柱８ｃと、両縦柱８ｂの下端部どうしを橋絡しているトーガード８ｄとによって矩形枠状に形成されており、縦柱８ｂの下端部は踏み台４の左側の手摺り支持部４３に回動可能に取着されている。なお、左手摺り８を踏み台４に対して折り畳むと、図７に示すように横柱８ｃは両縦柱８ｂの上側に位置する。背面側の縦柱８ｂの上端部には背面手摺り８ａが回動可能に取着されており、この背面手摺り８ａは該縦柱８ｂの内側に沿って配置させることができる。また、この背面手摺り８ａは右手摺り９側へ略水平に突出させることもできる。
【００２０】
右手摺り９は、左手摺り８と左右対称な位置関係にあり、やや幅広である点を除いて左手摺り８と同等の構造になっている。すなわち、右手摺り９は、略平行な２本の縦柱９ｂと、両縦柱９ｂの上端部どうしを橋絡している横柱９ｃと、両縦柱９ｂの下端部どうしを橋絡しているトーガード９ｄとによって形成されており、縦柱９ｂの下端部は踏み台４の右側の手摺り支持部４３に回動可能に取着されている。また、背面側の縦柱９ｂの上端部に軸着されている背面手摺り９ａは該縦柱８ｂの内側に沿って配置させることができ、この背面手摺り９ａを左手摺り８側へ略水平に突出させることもできる。そして、図４に示すように、左手摺り８および右手摺り９を踏み台４に対して起立させた状態で、略水平に突出させた背面手摺り８ａ，９ａの先端部どうしを連結ボルト１０にて連結することにより、これら左右両手摺り８，９と背面手摺り８ａ，９ａとからなる三方の手摺りが踏み台４の上方に配設されるようになっている。
【００２１】
次に、図１や図４に示す設置状態の点検作業台２１を折り畳んで収納する際の作業手順について説明する。まず、図５に示すように、連結ボルト１０を外して背面手摺り８ａ，９ａをそれぞれ縦柱８ｂ，９ｂの内側に沿って配置させる。これらの背面手摺り８ａ，９ａはそれぞれ縦柱８ｂ，９ｂの上端部に軸着されているので、連結ボルト１０を外せば各背面手摺り８ａ，９ａは自ずと鉛直方向に吊持された状態になる。
【００２２】
この後、まず左手摺り８を９０度回転させて図６に示すように踏み台４上へ折り畳み、次いで、右手摺り９を逆向きに９０度回転させて図７に示すように踏み台４上へ折り畳む。図４に示すように、右手摺り９の幅方向の内のり９ｗは、左手摺り８の幅方向の外のり（幅寸法）８ｗに背面手摺り９ａの太さを加えた寸法よりも若干大きく設定されているため、左手摺り８と右手摺り９を踏み台４上へ順次折り畳むと、左手摺り８の幅方向外側に右手摺り９の縦柱９ｂや背面手摺り９ａを配置させることができる。その際、左手摺り８の縦柱８ｂと一緒に回転する背面手摺り８ａの先端部はトーガード８ｄと踏み台４との間に配置され、右手摺り９の縦柱９ｂと一緒に回転する背面手摺り９ａの先端部はトーガード９ｄと踏み台４との間に配置される。また、左手摺り８の横柱８ｃは右手摺り９の横柱９ｃとトーガード９ｄとの間に位置し、右手摺り９の横柱９ｃは左手摺り８の横柱８ｃとトーガード８ｄとの間に位置するため、それぞれ互いに干渉することなく折り畳むことができる。すなわち、図７や図８に示すように、左右両手摺り８，９および背面手摺り８ａ，９ａは全て踏み台４上に水平に折り畳まれることになり、踏み台４の周囲へはみ出すこともないため、これらの手摺り８，９，８ａ，９ａを踏み台４用の収納スペースに一緒に収納することができる。
【００２３】
そして、このように左右両手摺り８，９および背面手摺り８ａ，９ａを踏み台４上に折り畳んだ後、踏み台４を少し持ち上げて引っ掛けボルト４１を支柱７のだるま孔７１から外せば、踏み台４および手摺り８，９，８ａ，９ａは自重で下向きに回転する。そのため、引っ掛けボルト４２を支柱７のだるま孔７１に挿入して掛止させることにより、図３に示すように鉛直姿勢の踏み台４をエレベータ機器１の直下に吊持して収納することができ、手摺り８，９，８ａ，９ａもエレベータ機器１の直下に収納することができる。
【００２４】
また、図３や図７に示す収納状態の点検作業台２１をエレベータ機器１と対向する側の空間に設置する際には、踏み台４を上向きに回転させて引っ掛けボルト４１を支柱７のだるま孔７１に挿入して掛止させることにより、踏み台４を水平姿勢に保持した後、右手摺り９と左手摺り８を順次起立させてから背面手摺り８ａ，９ａどうしを連結ボルト１０にて連結する。ただし、かかる設置時の作業手順は、前述した収納時の作業手順を逆に行うだけなので、その詳しい説明については省略する。
【００２５】
以上説明したように、本実施形態例に係る点検作業台２１を保守点検作業時の足場として設置する際には、踏み台４を水平姿勢に保持して右手摺り９および左手摺り８を起立させると共に、左右両手摺り８，９を背面手摺り８ａ，９ａで連結すれば良い。こうすることにより、踏み台４に乗ってエレベータ機器１と向き合う作業者にとって、左右両側と背面の三方に手摺り８，９，８ａ，９ａが配設されることになるため、保守点検作業時の安全を確保するうえで効果的である。また、この点検作業台２１を収納する場合は、三方の手摺り８，９，８ａ，９ａを折り畳んだ踏み台４を自重で鉛直姿勢となして、これをエレベータ機器１が吊持するようにしておく。その際、背面手摺り８ａ，９ａは左手摺り８や右手摺り９に折り畳むことができ、かつ、左手摺り８と右手摺り９は互いの幅寸法が異なるため、両者８，９を干渉させずに折り畳むことができる。そのため、折畳み状態の三方の手摺りと踏み台４を支柱７を介してエレベータ機器１の直下に吊り下げることができ、非使用時の点検作業台２１を邪魔にならない場所に容易に収納できる。
【００２６】
次に、本発明の第２実施形態例に係る点検作業台について、図９〜図１３を参照しつつ説明する。ただし、これらの図において、前述した第１実施形態例と対応する部分には同一符号が付してあるため、重複する説明は省略する。
【００２７】
第２実施形態例に係る点検作業台２２は、左手摺りと右手摺りがいずれも二段構造になっている点が第１実施形態例と大きく異なっている。すなわち、点検作業台２２の左手摺りは、踏み台４の左側部に取着されて起立姿勢と折畳み姿勢との間で回動可能な左下段手摺り８と、この左下段手摺り８に取着されて起立姿勢と折畳み姿勢との間で回動可能な左上段手摺り１１とを備えた二段構造になっている。また、点検作業台２２の右手摺りは、踏み台４の右側部に取着されて起立姿勢と折畳み姿勢との間で回動可能な右下段手摺り９と、この右下段手摺り９に取着されて起立姿勢と折畳み姿勢との間で回動可能な右上段手摺り１２とを備えた二段構造になっている。
【００２８】
左下段手摺り８は第１実施形態例における左手摺りと同じものであり、２本の縦柱８ｂと横柱８ｃとトーガード８ｄとを有する。また、背面側の縦柱８ｂの上端部には背面手摺り８ａが回動可能に取着されている。左上段手摺り１１は、２本の縦柱１１ｂと、両縦柱１１ｂの上端部どうしを橋絡している横柱１１ｃとを有し、左上段手摺り１１の背面側の隅部に背面手摺り１１ａが回動可能に取着されている。なお、図９に示すように、横柱１１ｃは両縦柱１１ｂの内側に位置する。各縦柱１１ｂの下端部は各縦柱８ｂの上端部に回動可能に取着されており、これら縦柱１１ｂはそれぞれ下方の縦柱８ｂの内側に沿って配置させることができると共に、上方へ起立させることができる。また、背面手摺り１１ａは、図１０に示すように横柱１１ｃの内側に沿って配置させることができると共に、図９に示すように右上段手摺り１２側へ略水平に突出させることができる。
【００２９】
右下段手摺り９は第１実施形態例における右手摺りと同じものであり、２本の縦柱９ｂと横柱９ｃとトーガード９ｄとを有する。また、背面側の縦柱９ｂの上端部には背面手摺り９ａが回動可能に取着されており、図９に示すように、背面手摺り８ａ，９ａの先端部どうしを連結ボルト１０にて連結することができる。右上段手摺り１２は、左上段手摺り１１と左右対称な位置関係にあり、やや幅広である点を除いて左上段手摺り１１と同等の構造になっている。すなわち、この右上段手摺り１２は、２本の縦柱１２ｂと、両縦柱１２ｂの上端部どうしを橋絡している横柱１２ｃとを有し、右上段手摺り１２の背面側の隅部に背面手摺り１２ａが回動可能に取着されている。各縦柱１２ｂの下端部は各縦柱９ｂの上端部に回動可能に取着されており、これら縦柱１２ｂはそれぞれ下方の縦柱９ｂの内側に沿って配置可能かつ上方へ起立可能である。また、背面手摺り１２ａは横柱１２ｃの内側に沿って配置可能かつ左上段手摺り１１側へ略水平に突出可能である。図９に示すように、背面手摺り１１ａ，１２ａの先端部どうしも連結ボルト１０にて連結することができる。
【００３０】
図９は第２実施形態例に係る点検作業台２２を足場として設置した状態を示している。この点検作業台２２を折り畳んで収納する際の作業手順について説明すると、まず、図１０に示すように、上下の連結ボルト１０を外して、背面手摺り１１ａ，１２ａをそれぞれ横柱１１ｃ，１２ｃの内側に沿って配置させると共に、背面手摺り８ａ，９ａをそれぞれ縦柱８ｂ，９ｂの内側に沿って配置させる。この後、図１１に示すように、左上段手摺り１１を１８０度回転させて左下段手摺り８の内側へ折り畳むと共に、右上段手摺り１２を逆向きに１８０度回転させて右下段手摺り９の内側へ折り畳む。この段階で、点検作業台２２の左右両手摺りの高さ寸法は、第１実施形態例における左右両手摺りの高さ寸法と同じになる。その後の作業手順は第１実施形態例とほぼ同様であり、まず左下段手摺り８を左上段手摺り１１と一緒に９０度回転させて踏み台４上へ折り畳み、次いで、右下段手摺り９を右上段手摺り１２と一緒に逆向きに９０度回転させて踏み台４上へ折り畳む。その結果、図１２や図１３に示すように、二つ折りされた左手摺り（左下段手摺り８および左上段手摺り１１）と、同じく二つ折りされた右手摺り（右下段手摺り９および右上段手摺り１２）と、背面手摺り８ａ，９ａと、背面手摺り１１ａ，１２ａは、全て踏み台４上に水平に折り畳まれることになり、これらの手摺りが踏み台４の周囲へはみ出すこともない。なお、こうして折畳み作業が完了すると、背面手摺り１１ａおよび横柱１１ｃはトーガード８ｄと踏み台４との間に配置され、背面手摺り１２ａおよび横柱１２ｃはトーガード９ｄと踏み台４との間に配置される。
【００３１】
このように第２実施形態例では、点検作業台２２の右手摺りと左手摺りがいずれも二段構造になっており、左右の上段手摺り１１，１２をそれぞれ左右の下段手摺り８，９上に起立させることによって、右手摺りや左手摺りの高さ寸法を大幅に増大できるため、保守点検作業時の安全性をさらに高めることができる。しかも、収納時には、左右の上段手摺り１１，１２を折り畳んだ状態で左右の下段手摺り８，９を踏み台４に対して折り畳むことができるため、右手摺りや左手摺りを二段構造にしても点検作業台２２の収納スペースが増大することはない。
【００３２】
次に、本発明の第３実施形態例に係る点検作業台について、図１４〜図１６を参照しつつ説明する。ただし、これらの図において、前述した第２実施形態例と対応する部分には同一符号が付してあるため、重複する説明は省略する。
【００３３】
第３実施形態例に係る点検作業台２３は、図１４に示すストッパ１３を併用している点に特徴があり、それ以外の構成は第２実施形態例と同じである。このストッパ１３は、右手摺りや左手摺りの不所望な移動を阻止するために用いられるものである。ストッパ１３の長手方向の一端側はＬ字状端部１３ｂとなっており、このＬ字状端部１３ｂには切れ込み１３ａが形成されている。この切れ込み１３ａ付きのＬ字状端部１３ｂは右手摺りや左手摺りに対して係脱可能である。また、ストッパ１３の長手方向の他端側はＵ字状端部１３ｃとなっており、このＵ字状端部１３ｃは踏み台４上に搭載したり踏み台４の外壁部を嵌め込むのに適した形状に形成されている。
【００３４】
そして、点検作業台２３を足場として設置するために踏み台４上に左右両手摺りを起立させたときには、図１５に示すように、２個のストッパ１３を使用して左下段手摺り８と右下段手摺り９がそれぞれ内方へ傾倒しないように拘持する。すなわち、一方のストッパ１３のＵ字状端部１３ｃを踏み台４上に搭載して切れ込み１３ａに左下段手摺り８の縦柱８ｂを嵌入させると共に、他方のストッパ１３のＵ字状端部１３ｃを踏み台４上に搭載して切れ込み１３ａに右下段手摺り９の縦柱９ｂを嵌入させる。こうすることによって、点検作業台２３は起立姿勢の左右両手摺りの内方への傾倒がストッパ１３によって阻止された状態になるため、これらの手摺りが水平姿勢の踏み台４に対して不用意に傾く虞がなくなる。それゆえ、点検作業台２３を使用してエレベータ機器の保守点検作業を行う際の安全性をさらに高めることができる。
【００３５】
また、点検作業台２３を収納する際には、踏み台４上へ左右両手摺りを折り畳んだ後、ストッパ１３のＬ字状端部１３ｂを左上段手摺り１１の縦柱１１ｂの内側で踏み台４上に搭載してから、Ｕ字状端部１３ｃに踏み台４の外壁部を嵌め込むようにストッパ１３をスライド移動させる。こうすることによって、図１６に示すように、踏み台４に固定されたストッパ１３が右手摺りの縦柱９ｂ，１２ｂ上および左手摺りの縦柱８ｂ，１１ｂ上を横切ることになり、左右両手摺りはストッパ１３に拘持された状態になるため、これらの手摺りが踏み台４に対して不用意に浮き上がる虞がなくなる。それゆえ、収納状態の点検作業台２３が乗りかご等の他機器と接触する危険性を確実に回避することができる。
【符号の説明】
【００３６】
１  エレベータ機器
３  支持棒
４  踏み台
７  支柱
８  左手摺り（左下段手摺り）
８ａ  背面手摺り
９  右手摺り（右下段手摺り）
９ａ  背面手摺り
１０  連結ボルト
１１  左上段手摺り
１１ａ  背面手摺り
１２  右上段手摺り
１２ａ  背面手摺り
１３  ストッパ
４１  引っ掛けボルト（第１掛止部）
４２  引っ掛けボルト（第２掛止部）
【図１】
2011251799.tif 000003
【図２】
2011251799.tif 000004
【図３】
2011251799.tif 000005
【図４】
2011251799.tif 000006
【図５】
2011251799.tif 000007
【図６】
2011251799.tif 000008
【図７】
2011251799.tif 000009
【図８】
2011251799.tif 000010
【図９】
2011251799.tif 000011
【図１０】
2011251799.tif 000012
【図１１】
2011251799.tif 000013
【図１２】
2011251799.tif 000014
【図１３】
2011251799.tif 000015
【図１４】
2011251799.tif 000016
【図１５】
2011251799.tif 000017
【図１６】
2011251799.tif 000018